(57)【特許請求の範囲】
【請求項１】
シャワー室の天井部吹出口から吹き出す循環気流と、前記シャワー室の側壁部吹出口から吹き出すジェット気流とを発生させるためのエアーシャワー装置において、
前記循環気流及び前記ジェット気流を発生させるための共用ファンと、
前記シャワー室に設けられた下部取出口から前記共用ファンに空気流を供給する第一のダクトと、
前記共用ファンの下流側に設けられた第二のダクトから、エアー供給室を経て前記側壁部吹出口に清浄化された前記ジェット気流を供給するための第一のフィルターと、
前記第二のダクトとダンパーを介して連通する第三のダクトと、
前記第三のダクトから前記天井部吹出口に清浄化された前記循環気流を供給するための第二のフィルターと
を具えてなることを特徴とするエアーシャワー装置。
【請求項２】
前記エアー供給室に対向して、側壁部吹出口を有する隔室を設け、かつ該隔室と前記エアー供給室との間にバイバスダクトを設けたことを特徴とする請求項１に記載のエアーシャワー装置。
【発明の詳細な説明】
【発明の属する技術分野】
本発明はクリーンルームなどの出入口に配設使用されるエアーシャワー装置に関し、特に、人荷の入出時以外に行う循環気流、及びこれらの入出時に行うジェット気流による清浄を効果的に行うことができるエアーシャワー装置に関する。
【０００１】
【従来の技術】
エアーシャワー装置はクリーンルームなどの清浄空間に人や荷物に付着した塵埃などが持ち込まれないようにするためのものである。従来、種々の方式の装置が提案されているが、例えば、特公平４−５０４９５号公報（以下、文献１と称する場合もある。）に開示されるように、外部の汚染空気が室内に入り込まないようにシャワー室の上部から出る循環気流と、人や物（以下、被浄化者として包括的に表す）に付着した塵埃を吹き飛ばして清浄するようにシャワー室の内壁面から吹き出すジェット気流とが発生する機構を備えたものが知られている。
【０００２】
図１は、上記公報に開示される従来のエアーシャワー装置の機能を説明するため、装置の一部を切り欠いて模式的に示す側断面図である。尚、以下の説明では、装置に同一機能の構成成分が複数設けられている場合、その一部にのみ符号を付して示すことがある。
【０００３】
まず、循環気流Ａを発生させるためのファン（送風機）１１とフィルター１３と、左右各々のジェット気流Ｂを発生させるためのファン１５とフィルター１７を備えており、これらが独立して設けられることにより、シャワー室１９内に被浄化者がいない時には循環気流Ａのみが流れ、被浄化者が居る時には循環気流Ａとジェット気流Ｂとが出るようになっている。
【０００４】
ここで、シャワー室１９内に被浄化者が居る際の２つの空気流の経路について詳細に説明すれば、まず、循環気流Ａは天井部吹出口２１から、ジェット気流Ｂは側壁吹出口２３から同室１９に夫々吹き込まれる。これら２つの空気流は、シャワー室１９の下方に設けられた下部取出口２５から第一のダクト２７に導入される。ここで、ジェット気流Ｂはファン１５によって第二のダクト２９を介してフィルター１７で清浄化され、また、循環気流Ａは、ファン１１によって第一のダクト２７から第三のダクト３１に導かれた後、フィルター１３で清浄化され、これら２つの空気流はシャワー室１９内に再び導入される。
【０００５】
このエアーシャワー装置は、ファン１１とファン１５とを具えることによって、夫々のファンにより２つの空気流の循環を分担する構成となっている。このため、循環気流Ａの風量低下を起こさずにジェット気流Ｂを発生させ得ることを特徴としている。しかしながら、これらファンを個別に設けることによるメリットはあまりなく、むしろ使用するファンの数が増えるため、製作コストが高くなる上に、装置が大型化し、しかも動力が大きくなるという問題がある。
【０００６】
このような問題を改善し得る技術として、実公平３−１１６４９号公報（以下、文献２と称する場合もある）に開示される技術では、循環気流Ａとジェット気流Ｂとを切り替えて、１つの共用ファンによって清浄化を図る方式が採られている。
【０００７】
図２は文献２に開示される装置構成を図１と同様に示す図である。尚、図１に示す装置構成と同様の機能を有する構成成分には同一の符号を付して詳細な説明を省略する。この装置では、循環気流Ａとジェット気流Ｂとを発生させるために、送風能力を２段階に切り替えることが可能な共用ファン３３と、これら清浄化された気流Ａ及びＢを供給するためのフィルター３５とが備えられる。
【０００８】
まず、被浄化者が居る時には、共用ファン３３の送風能力を高風量で運転する。この際、下部取出口２５からの空気流が第一のダクト３７を経由して第二のダクト３９に導かれる。この第二のダクト３９に入った空気流は、フィルター３５を通過することにより清浄化され、第三のダクト４１に達する。ここで、第三のダクト４１に入った空気流は、高風量で空気流の流れを遮断するダンパー４３によって側壁吹出口２３からシャワー室１９内にのみジェット気流Ｂとして供給される。一方、被浄化者が居ない時には、低風量で共用ファン３３を運転することによってダンパー４３が開放状態となり、しかも、側壁部吹出口２３として備えられるノズルを所定の動作圧に設計することによって遮断される。従って、第三のダクト４１から第四のダクト４５にのみ空気流が生じ、天井部吹出口２１から循環気流Ａがシャワー室１９内に導入される。
【０００９】
上述した様に、このエアーシャワー装置では、ファンの送風量を切替えることによりダンパーが開閉して、循環気流とジェット気流とを切替えることによりシャワー室内の清浄化が行われる。このような切替えにより、実質的に１つのファンで循環気流とジェット気流とに対応でき、製作コストを低減すると共に、装置のコンパクト化を可能にしている。
【発明が解決しようとする課題】
【００１０】
しかしながら、文献２に開示されるエアーシャワー装置では、第四のダクト４５内の空気流が天井部吹出口２１から直接シャワー室１９内に吹き込む構成となっている。従って、この天井部吹出口２１近傍で、循環気流Ａに風速の強い部分と弱い部分が生じて乱流になりやすく、シャワー室１９内を効率的に浄化するための層流を発生することが難しいという問題点が有った。
【００１１】
また、天井部吹出口と側壁部吹出口との間にはフィルタがないため、ダンパー４３の切替時や装置の停止時などに際して、シャワー室１９内の塵埃が天井部吹出口２１から第四のダクト４５内に逆流し、ジェット気流Ｂにのって再度当該室１９内に流れ込む。このため、シャワー室内の清浄度を低下させてしまうという問題も有った。
【００１２】
本発明は、上記の従来技術の問題点を解決するべくなされたものであり、循環気流とジェット気流を一つのファンで供給すると共に、層流として形成された循環気流により汚染された外気の侵入を防止し、高い清浄度を保てるエアーシャワー装置を提供することを目的とする。
【００１３】
【課題を解決するための手段】
この目的の達成を図るため、本発明に係るエアーシャワー装置の構成によれば、シャワー室の天井部吹出口から吹き出す循環気流と、前述したシャワー室の側壁部吹出口から吹き出すジェット気流とを発生させるためのエアーシャワー装置において、
上述した循環気流及び前述のジェット気流を発生させるための共用ファンと、前述したシャワー室に設けられた下部取出口から上述の共用ファンに空気流を供給する第一のダクトと、
上述の共用ファンの下流側に設けられた第二のダクトから、エアー供給室を介して前述した側壁部吹出口に清浄化された前述のジェット気流を供給するための第一のフィルターと、
上述した第二のダクトとダンパーを介して連通する第三のダクトと、
前述した第三のダクトから前述した天井部吹出口に清浄化された前述の循環気流を供給するための第二のフィルターと
を具えてなることを特徴としている。
【００１４】
【発明の実施の形態】
以下、この発明の実施形態につき説明する。本発明のエアーシャワー装置は、１つの共用ファンに、ジェット気流用の第一のフィルターと循環気流用の第二のフィルターとを連通させて構成することにより、コンパクトな装置構成を実現し、かつ、これら２つの空気流を独立して確実に発生させるものである。このような装置構成を採るに当たっては、最も簡素な装置構成として、シャワー室を構成する２つの側壁面のうちの１つの面、即ち、シャワー室への被浄化者の通過方向と実質的に直角を為す方向で対向する１対の側壁面のうちの１つの面に、ジェット気流を吹き込むための側壁部吹出口を設け、所謂、片吹型の装置とすることが出来る。
【００１５】
また、この発明の他の実施形態として、上記対向する２つの側壁面の何れにも側壁部吹出口を配設し、所謂、両吹型の装置とすることも出来る。この場合には、前述したエアー供給室にシャワー室を挟んで対向する位置に隔室を設け、この隔室とエアー供給室との間に、例えばパイプ状のバイパスダクトを設ける。このようにすることによって、エアー供給室と隔室との間に圧平衡が形成され、１つの共用ファンを備えるだけで、シャワー室内に２方向からジェット気流を導入することができる。
【００１６】
【実施例】
以下、本発明の実施例につき図面を参照して説明する。図３は、本発明の一実施例を説明するため、図１及び図２と同様に示す説明図であり、従来と同様な機能を有する構成成分については、同一の符号を付してある。
【００１７】
この実施例に係る装置の構成では、シャワー室１９内の空気は、高低の２段階に切り替えることが出来る従来と同様な共用ファン３３によって、下部取出口２５を介して第一のダクト３７を経由し、第二のダクト４７に導かれる。
【００１８】
まず、共用ファン３３が高風量で運転される場合、この第二のダクト４７に到達した空気流はエアー供給室４８を経由して第一のフィルター４９で清浄化され、側壁部吹出口２３を介してシャワー室１９内にジェット気流Ｂとして導入される。この間、ダンパー４３は第三のダクト５１への空気流を遮断する。このダンパー４３は、前述した文献２に開示されるように、風量の強弱に伴う圧力に応じて開閉するもの、電磁弁などの電気的制御によって開閉するものなどを任意好適に配設することが出来る。
【００１９】
また、共用ファン３３が低風量で運転される場合、上述した第二のダクト４７内の空気流は、図２に述べた装置と同様に所定の動作圧に設計された側壁部吹出口２３を構成するノズルから流出することはなく、開放されたダンパー４３を介して第三のダクト５１に空気流を導入することとなる。従って、上記第一のフィルター４９とは別にシャワー室１９の天井部分に配設された、第二のフィルター５３で清浄化され、天井部吹出口２１を介してシャワー室１９内に循環気流Ａとして導入される。この際、当該気流Ａはフィルターを通過してシャワー室１９内に流入するため、当該フィルターの面内で均一な風量、即ち、層流として形成されることになる。
【００２０】
ここで、上述した説明及び図３からも理解できるように、本実施例に係る装置では、循環気流Ａをシャワー室１９に吹き込むに当たって、図２の第四のダクト４５に相当する第三のダクト５１から第二のフィルター５３を介して、天井部吹出口２１から導入される。従って、共用ファンによる低風量でシャワー室内を清浄化する際に、良好な層流が形成される。また、本装置では、天井部吹出口２１と側壁部吹出口２３との空気流上流側に、各々、フィルター４９またはフィルター５３を備える構造となっている。このため、何らかの原因によって、比較的風量の低い循環気流Ａが逆流しても、シャワー室１９内の清浄度を損なうことがない。
【００２１】
以上、この発明の実施例につき説明したが、本発明の装置は、上述した実施例にのみ限定されるものではない。例えば、図３では、最も簡素な構成として、共用ファン３３を１機に対して、側壁部吹出口２３がシャワー室を構成する側壁の１面にのみ設けられた、片吹型の場合を説明した。しかしながら、図３と同様な図４に示すように、対向する１対の側壁に、夫々、側壁部吹出口２３ａ、２３ｂを設けると共に、エアー供給室４８と、これに対向して側壁部吹出口２３ｂに設けられた隔室５７とを連通するパイプ状のバイパスダクト５５を設ける。このような構成とすることにより、エアー供給室４８と隔室５７とが、既に説明したように側壁部吹出口を構成するノズルの弁機能によって圧平衡となり、シャワー室１９からの逆流を防止可能な両吹型の装置とすることもできる。これら配置関係、その他上述した特定条件は、この発明の目的の範囲内で任意好適に設計及び変形を行い得る。
【００２２】
【発明の効果】
上述した説明からも明らかなように、本発明のエアーシャワー装置の構成によれば、１つの共用ファンによって循環気流とジェット気流を形成することによって装置のコンパクト化を図ることが出来ると共に、これら２つの空気流が各々個別に設けられたフィルターを介して供給される。係る構成を採ることによって、循環気流は良好な層流として形成され、しかも、前述したように、塵埃が何らかの理由によって天井部吹出口から逆流した場合であっても、シャワー室内の清浄度を損なうことがない。従って、本発明の装置構成を適用することによって、コンパクトであり、かつ効果的な清浄化を図り得るエアーシャワー装置を提供することが出来る。
【図面の簡単な説明】
【図１】  従来技術の説明図。
【図２】  他の従来技術の説明図。
【図３】  本発明の実施例の説明図。
【図４】  本発明に係る他の実施形態の説明図。
【符号の説明】
１１，１５：ファン、  １３，１７，３５：フィルター、１９：シャワー室、
２１：天井部吹出口、  ２３、２３ａ、２３ｂ：側壁部吹出口、
２５：下部取出口、  ２７，３７：第一のダクト、
２９，３９，４７：第二のダクト、  ３１，４１，５１：第三のダクト、
３３：共用ファン、  ４３：ダンパー、  ４５：第四のダクト、
４８：エアー供給室、  ４９：第一のフィルター、  ５３：第二のフィルター、
５５：（パイプ状の）バイパスダクト、  ５７：隔室、  Ａ：循環気流、
Ｂ：ジェット気流。
【図１】
0003763650.tif 000002
【図２】
0003763650.tif 000003
【図３】
0003763650.tif 000004
【図４】
0003763650.tif 000005